(57)【要約】  複数の軸流ファンから各軸流ファンの回転数に応じた風量の調和空気を吹きだせる空気調和機の室内機を得る。空気調和機の室内機は、上部に吸込口が形成され、前面部下側に吹出口が形成されたケーシングと、ケーシング内において、吸込口の下流側にケーシングの幅方向に並設された複数の軸流ファンと、ケーシング内の軸流ファンの下流側であって吹出口の上流側に設けられ、軸流ファンから吹き出された空気と冷媒とが熱交換される熱交換器と、吹出口から吹き出される気流の上下方向の向きを制御する上下風向板と、を備える。内部風路は、隣接する複数の軸流ファンの間を仕切ることにより分割して形成され、上下風向板は、上下風向板の面上に上下風向板の短辺方向に沿って設置され、内部風路の分割に合わせて上下風向板を区切る仕切り板を備える。
2016208009.tif 000002
【特許請求の範囲】
【請求項１】
上部に吸込口が形成され、前面部下側に吹出口が形成され、内部に内部風路が形成されたケーシングと、
該ケーシングの内部において、前記吸込口の下流側に前記ケーシングの幅方向に並設された複数の軸流ファンと、
前記吹出口の上流側に設けられ、前記軸流ファンにより前記ケーシングの内部に取り込まれた空気と冷媒とが熱交換される熱交換器と、
前記吹出口から吹き出される気流の上下方向の向きを制御する上下風向板と、を備えた空気調和機において、
前記内部風路は、
隣接する複数の前記軸流ファンの間で分割され、
前記上下風向板は、
当該上下風向板の面上に前記上下風向板の短辺方向に沿って設置され、前記内部風路の分割に合わせて当該上下風向板を区切る仕切り板を備える、空気調和機の室内機。
【請求項２】
前記上下風向板は、
前記内部風路の分割に合わせて前記ケーシングの幅方向に分割され、
前記仕切り板は、
前記内部風路の分割に合わせて、分割された前記上下風向板の端に設けられている、請求項１に記載の空気調和機の室内機。
【請求項３】
前記上下風向板は、
当該上下風向板の面上に、前記吹出口から吹き出される気流を前記ケーシングの幅方向に偏向させる複数の左右風向板を更に備える、請求項１又は２に記載の空気調和機の室内機。
【請求項４】
上部に吸込口が形成され、前面部下側に吹出口が形成され、内部風路が形成されたケーシングと、
該ケーシングの内部において、前記吸込口の下流側に前記ケーシングの幅方向に並設された複数の軸流ファンと、
前記吹出口の上流側に設けられ、前記軸流ファンにより前記ケーシングの内部に取り込まれた空気と冷媒とが熱交換される熱交換器と、
前記吹出口から吹き出される気流の上下方向の向きを制御する上下風向板と、を備えた空気調和機において、
前記内部風路は、
隣接する複数の前記軸流ファンの間を仕切ることにより分割され、
前記上下風向板は、
当該上下風向板の面上に、前記吹出口から吹き出される気流を前記ケーシングの幅方向に偏向させる複数の左右風向板を更に備え、
複数の該左右風向板のうち前記内部風路の分割位置にある前記左右風向板は、
高さが他の前記左右風向板より高い、空気調和機の室内機。
【請求項５】
前記上下風向板は、
前記内部風路の分割に合わせて前記ケーシングの幅方向に分割され、分割されたそれぞれの当該上下風向板上に、複数の前記左右風向板を備える、請求項４に記載の空気調和機の室内機。
【発明の詳細な説明】
【技術分野】
【０００１】
本発明は、軸流ファン及び熱交換器をケーシング内に収納した空気調和機の室内機に関するものである。
【背景技術】
【０００２】
従来から、吸込口及び吹出口を有するケーシング内に配設された熱交換器と、ケーシングに左右（水平）方向に複数の軸流ファンを並設し、ケーシングに配設された吹出口から調和空気を吹き出す空気調和機が存在する。そのような空気調和機として、ファンユニットが吸込口側に設けられ、吹出口から吹き出される気流の左右方向の向きを制御する左右風向板と、吹出口に設けられ、吹出口から吹き出される気流の上下方向の向きを制御する上下風向板と、室内に存在する人の位置を検知する人検知センサーを備えたものがある。この空気調和機は室内にいる人の快適性を向上するために、人検知センサーの人検知結果に応じて、複数の軸流ファンの風量、左右風向板の向き、及び上下風向板の向きを制御するものであった。【０００３】
また、上流側に複数の軸流ファンと熱交換器とを備えた空気調和機において、ケーシング内部を仕切り板によって複数の風路に分割したものが提案されている（例えば、特許文献１参照）。この空気調和機は軸流ファンにプロペラファンを使用しており、風路内の混合防止板によって隣接するプロペラファンから吹き出された気流の干渉を抑制する。
【先行技術文献】
【特許文献】
【０００４】
【特許文献１】国際公開第２０１２／００１７３５号
【発明の概要】
【発明が解決しようとする課題】
【０００５】
特許文献１は、混合防止板で風路を分割することにより隣接するプロペラファンの気流の干渉を抑制することができ、各プロペラファンの回転数を異ならせることにより吹出される調和空気の風量の調整ができた。しかし、調和空気が吹出口近傍の上下風向板で偏向される際、調和空気が上下風向板に衝突することにより気流が拡散し、隣り合うプロペラファンの気流が干渉しあうため、各プロペラファンから回転数に応じた風量が吹き出されないという課題があった。【０００６】
本発明は、上記のような課題を解決するためになされたものであり、各プロペラファンの回転数に応じた風量を吹き出すことができる空気調和機の室内機を得る事を目的としている。
【課題を解決するための手段】
【０００７】
本発明に係る空気調和機の室内機は、上部に吸込口が形成され、前面部下側に吹出口が形成され、内部に内部風路が形成されたケーシングと、該ケーシングの内部において、前記吸込口の下流側に前記ケーシングの幅方向に並設された複数の軸流ファンと、前記吹出口の上流側に設けられ、前記軸流ファンにより前記ケーシングの内部に取り込まれた空気と冷媒とが熱交換される熱交換器と、前記吹出口から吹き出される気流の上下方向の向きを制御する上下風向板と、を備えた空気調和機において、前記内部風路は、隣接する複数の前記軸流ファンの間で分割され、前記上下風向板は、当該上下風向板の面上に前記上下風向板の短辺方向に沿って設置され、前記内部風路の分割に合わせて当該上下風向板を区切る仕切り板を備える。
【発明の効果】
【０００８】
本発明に係る空気調和機の室内機によれば、上下風向板上に仕切り板が設けられていることにより、複数の軸流ファンから吹き出された気流が上下風向板に衝突し左右方向へ拡散したときのファン同士の気流の干渉を抑制できる。これにより、空気調和機の室内機は、各軸流ファンの回転数に応じ、各軸流ファンごとにそれぞれ異なる風量の調和空気を吹き出せることができる。
【図面の簡単な説明】
【０００９】
【図１】本発明の実施の形態１における空気調和装置の室内機の断面を模式的に示す図である。
【図２】本発明の実施の形態１における室内機を上面から見た図である。
【図３】本発明の実施の形態１における上下風向板の平面図である。
【図４】本発明の実施の形態１における上下風向板の斜視図である。
【図５】本発明の実施の形態１における室内機内の風の流れの一例を示す模式図である。
【図６】本発明の実施の形態２における室内機内の風の流れの一例を示す模式図である。
【図７】本発明の実施の形態２における左右分割した上下風向板の平面図である。
【図８】本発明の実施の形態２における左右分割した上下風向板の斜視図である。
【図９】本発明の実施の形態３における左右風向板付き上下風向板の斜視図である。
【図１０】本発明の実施の形態４における左右風向板付き左右分割した上下風向板の斜視図である。
【発明を実施するための形態】
【００１０】
実施の形態１．
図１は、この発明の実施の形態１における空気調和装置の室内機の断面を模式的に示す図である。この図１に基づいて室内機１００の構成について説明する。この室内機１００は、冷媒を循環させる冷凍サイクルを利用することで室内等の空調対象域に調和空気を供給するものである。図１に示されるように、室内機１００は、ケーシング４を備えている。ケーシング４には、その上面に室内空気を内部に吸い込む室内機上面の吸込口１が設置されており、下部には調和空気を空調対象域に供給するための吹出口８が形成されている。ケーシング４内部において、吸込口１の下側には、フィルター１１が設置されており、その下部には軸流ファン２が設置されている。軸流ファン２は、吸込口１から室内空気を吸い込み、吹出口８から調和空気を吹出す。また、軸流ファン２から吹出口８までの風路には熱交換器３が設置されている。熱交換器３は、軸流ファン２から送られた室内空気と冷媒とで熱交換し、調和空気を作る。
【００１１】
ケーシング４の内部には、内部風路を仕切る混合防止板１０が設置されている。混合防止板１０は、ケーシング４内に複数設置されている軸流ファン２の間に設置され、各軸流ファン２が生じさせた風が干渉しないように仕切る。吹出口８は、ケーシング４の下部、すなわちケーシング４内部に設置されている熱交換器３の下部に設置されている。吹出口８には、調和空気を上下方向に偏向する三つの上下風向板５ａ、５ｂ、５ｃ（まとめて上下風向板５とする）が設置されている。上下風向板５上には仕切り板６が設置されており、仕切り板６も混合防止板１０とともに吹出口８において風路を仕切るものである。なお、仕切り板６の構成は後述する。
【００１２】
ここで室内機１００内における空気の流れについて簡単に説明する。まず、室内空気は軸流ファン２によって吸込口１から室内機１００の内部に流れ込む。このときフィルター１１によって空気に含まれている塵埃が除去される。この室内空気は、熱交換器３を通過する際に熱交換器３内に流れている冷媒によって加熱又は冷却されて調和空気となる。その調和空気は、吹出口８に設置されている上下風向板５の上を通過する。上下風向板５は、水平方向に平行な回転中心を有し、室内機１００に回転自在に設置されている。上下風向板５は、モーターのついた駆動手段（図示無し）により上下方向の角度が調整され、調和空気の上下吹出し角度を偏向する。また、調和空気は、上下風向板５上に設置されている左右風向板７を通過する。左右風向板７は、ユニット幅方向に複数枚設置されており、それぞれが連結棒（図示無し）により連結されている。なお、実施の形態１では室内機１００の前面側に設置された上下風向板５ｂに左右風向板７が設置されている。左右風向板７は、回転軸を有し左右方向に回転自在に設置されており、モーターのついた駆動手段（図示無し）により角度を調整し、調和空気の左右吹出し角度を偏向する。その後、吹出口８から室内機１００の外部、つまり空調対象域に吹き出される。
【００１３】
図２は、本発明の実施の形態１における室内機を上面から見た図である。実施の形態１に係る室内機１００は、図に示されるように、室内機１００の左右（幅）方向に沿って、２個の軸流ファン２が並列配置されている。
【００１４】
軸流ファン２は、それぞれベルマウスに囲われている。また、軸流ファン２の間には混合防止板１０が設けられている。この混合防止板１０は、軸流ファン２から熱交換器３までの間に設置されている。または、混合防止板１０は、熱交換器３と吹出口８の間に渡って設置されている。または、混合防止板１０は、軸流ファン２から熱交換器３までの間と熱交換器３から吹出口８までの間の両方に設置されている。つまり軸流ファン２から吹出口８までの内部風路１３が複数の風路（実施の形態１では２つ）に分割されている。このため、複数の軸流ファン２から吹き出された調和空気は隣接した軸流ファン２の気流の干渉を抑制することができる。混合防止板１０は、熱交換器３の上流側または下流側に設置されているため、熱交換器３に沿った形状となっている。
【００１５】
図３は、本発明の実施の形態１における上下風向板５の平面図である。図４は、本発明の実施の形態１における上下風向板５の斜視図である。上下風向板５上には仕切り板６が設けられている。図３及び図４に示されるように、仕切り板６は、１枚の上下風向板５の面上に上下風向板５の短辺方向に沿った方向に設置されている。仕切り板６は、隣り合う軸流ファン２の間となる位置に設けられている。また、仕切り板６の長さ（室内機１００における奥行き方向の長さ、すなわち図示のＸ方向の長さ）は、上下風向板５の長さ（前縁から後縁までの長さ）と同一である。なお、仕切り板６の長さは、上下風向板５の長さと同一でなくともよく、分割された内部風路１３の各吹出口において気流が干渉しないようにされていれば上下風向板５より長くても短くても良い。また、仕切り板６の形状は、上下風向板５を閉じた際に仕切り板６が室内機１００のユニット内に収納できるよう、風路に沿った形状となっている。また、上下風向板５を閉じた際に十分な高さ方向（室内機１００の上下方向、すなわち図示のＺ方向）にスペースがなく、仕切り板６を配置できない、又は十分な高さが得られない場合は、室内機１００内部に凹部を設け、風路内に仕切り板６が収納できるようにする。
【００１６】
図５は、本発明の実施の形態１における室内機１００内の風の流れの一例を示す模式図である。室内機１００のケーシング４の内部には混合防止板１０が設けられており、内部風路１３は、混合防止板１０により内部風路１３Ｌ及び内部風路１３Ｒの２つに分割されている。上下風向板５の角度、位置によっては、図５のように軸流ファン２から吹き出された調和空気が上下風向板５で偏向される際に板に衝突し左右方向（室内機１００の幅方向）に拡散しようとする。仕切り板６は、隣接する軸流ファン２の間の延長上に設置されており、かつ仕切り板６の長さは、上下風向板５の前縁から後縁までである。よって、軸流ファン２により吹き出される調和空気は、上下風向板５を通過する際に、隣接する軸流ファン２の気流の干渉を抑制できる。
【００１７】
従来技術においては、軸流ファン２が複数あり、軸流ファン２ごとに回転数を変え異なる風量で吹き分けようとしても、上下風向板５で調和空気が偏向される際に上下風向板５に衝突し拡散するため、隣接する軸流ファン２の気流の影響を受けていた。その結果、吹き出される調和空気は、軸流ファン２の回転数に応じた風量差を吹き分けられないといった課題があった。しかし、実施の形態１においては上下風向板５に仕切り板６を設置することにより、調和空気が上下風向板５を通過する際の気流の干渉を抑制することができる。これにより、複数の軸流ファン２のそれぞれが異なる風量の調和空気を吹き分けることができ、各吹出口から個人に適した風量を吹き出すことで快適な生活空間を形成することができる。
【００１８】
（効果）
実施の形態１の空気調和機の室内機は、上部に吸込口が形成され、前面部下側に吹出口が形成され、内部風路が形成されたケーシング４と、ケーシング４の内部において、吸込口１の下流側にケーシング４の幅方向に並設された複数の軸流ファン２と、吹出口８の上流側に設けられ、軸流ファン２によりケーシング４の内部に取り込まれた空気と冷媒とが熱交換される熱交換器３と、吹出口８から吹き出される気流の上下方向の向きを制御する上下風向板５と、を備える。内部風路１３は、隣接する複数の軸流ファン２の間で分割して形成され、上下風向板５は、上下風向板５の面上に上下風向板５の短辺方向に沿って設置され、内部風路１３の分割に合わせて上下風向板５を区切る仕切り板６を備える。このような構成を備えることにより、調和空気が上下風向板５を通過する際の気流の干渉を抑制することができる。これにより、複数の軸流ファン２のそれぞれが異なる風量の調和空気を吹き分けることができる。
【００１９】
実施の形態２．
実施の形態１では、１枚の上下風向板５の面上の隣り合う軸流ファン２の間の延長上の位置（内部風路１３の分割に合わせた位置）に、上下風向板５の短辺方向に沿って配置された仕切り板６により、吹き出される調和空気の干渉を抑制する構成を説明した。実施の形態２においては、上下風向板５が軸流ファンの数と同数に室内機１００の幅方向に分割されている場合について説明する。
【００２０】
図６は、本発明の実施の形態２における室内機内の風の流れの一例を示す模式図である。室内機１００のケーシング４の内部には混合防止板１０が設けられており、内部風路１３は、混合防止板１０により内部風路１３Ｌ及び内部風路１３Ｒの２つに分割されている。上下風向板５は、室内機１００の幅方向に分割されているが、実施の形態１と同様に隣り合う軸流ファン２の間の延長線上の位置（分割された上下風向板５Ｌ及び上下風向板５Ｒにおいて、室内機１００の中央側の端）に仕切り板６が設置されている。このため、実施の形態１と同様の効果を得ることができる。
【００２１】
図７は、本発明の実施の形態２における左右分割した上下風向板５の平面図である。図８は、本発明の実施の形態２における左右分割した上下風向板５の斜視図である。上下風向板５以外のその他の構成については、実施の形態１の室内機１００と同様である。図７、８に示されるように隣り合う軸流ファン２の間となる位置の上下風向板５上に仕切り板６が設置されている。上下風向板５Ｌの室内機１００中央側の端には、仕切り板６Ｌが設置されている。上下風向板５Ｒの室内機１００中央側の端には、仕切り板６Ｒが設置されている。また、仕切り板６の長さ（室内機１００の奥行き方向の長さ、すなわち図示のＸ方向の長さ）は、上下風向板５の長さ（前縁から後縁までの長さ）と同一である。なお、仕切り板６の長さは、上下風向板５の長さと同一でなくともよく、分割された内部風路１３の各吹出口において気流が干渉しないようにされていれば上下風向板５より長くても短くても良い。また、仕切り板６の形状は、上下風向板５を閉じた際に仕切り板がユニット内に収納できるよう、風路に沿った形状となっている。また、上下フラップを閉じた際に十分な高さ方向（室内機１００の上下方向、すなわち図示のＺ方向）にスペースがなく、仕切り板６を配置できない、又は十分な高さが得られない場合、風路内に仕切り板６が収納できるように凹部を設け収納する。
【００２２】
実施の形態１においては、上下風向板５の面上に分割した内部風路１３に合わせて仕切り板６を設置し、上下風向板５を通過する際の気流の干渉を抑制していた。一方、実施の形態２においては上下風向板５は分割されている。このため、分割された上下風向板５Ｌ及び上下風向板５Ｒのそれぞれの端に仕切り板６を設置することにより、上下風向板５を通過する際の気流の干渉を抑制することができる。これにより、複数の軸流ファン２のそれぞれが異なる風量の調和空気を異なる方向に吹き分けることができ、各吹出口から個人に適した風量を吹き出すことで快適な生活空間を形成することができる。
【００２３】
（効果）
実施の形態２においては、実施の形態１の空気調和機の室内機に対し以下の構成を更に備える。上下風向板５は、内部風路１３の分割に合わせてケーシングの幅方向に分割されている。仕切り板６は、内部風路１３の分割に合わせて、分割された上下風向板５の端に設けられている。このような構成を備えることにより、上下風向板５が、内部風路１３に合わせて分割された場合においても、調和空気が上下風向板５を通過する際の気流の干渉を抑制することができる。これにより、複数の軸流ファン２のそれぞれが異なる風量の調和空気を上下の異なる方向に吹き分けることができる。
【００２４】
実施の形態３．
実施の形態１及び２においては、上下風向板５の面上に隣り合う軸流ファン２の間となる位置に上下風向板を短辺方向に区切るように仕切り板６を設置していた。実施の形態３では上下風向板５の面上に、吹出口から吹き出される気流を左右方向（室内機１００の幅方向）に偏向する左右風向板７を設置されている場合の構成について説明する。
【００２５】
図９は本発明の実施の形態３における左右風向板７付き上下風向板５の斜視図である。隣接する軸流ファン２の間の延長上にあたる位置の左右風向板７を、周りの左右風向板７の高さより高くすることにより、実施の形態１の仕切り板６と同様の効果を得ることができる。なお、実施の形態３において、特に記述しない項目については実施の形態１と同様とし、同一の機能や構成については同一の符号を用いて述べる。
【００２６】
上下風向板５以外のその他の構成については、実施の形態１の室内機１００と同様である。図９に示されるように、構造スペースの制約などにより、左右風向板７を上下風向板５に設置することがある。調和空気は、上下風向板５により上下方向に偏向され、更に左右風向板７が左右方向に回転することにより、左右幅方向に偏向されて空調対象域に吹き出される。
【００２７】
また、隣接する軸流ファン２の間の延長上となる位置の左右風向板７を周りの左右風向板７よりも上下方向（室内機１００の上下方向、すなわち図示のＺ方向）に高くする。これを左右風向拡大板１２と呼ぶ。このとき、左右風向板７の断面積が大きいほど広角吹き出し時の圧損が大きくなるため、他の左右風向板７も拡大すると同一回転数での風量が低下し必要な能力を確保できなくなる。また左右風向拡大板１２の長さ（室内機１００の奥行き方向の長さ、すなわち図示のＸ方向の長さ）は上下風向板５の長さ（上下風向板５の前縁から後縁までの長さ）と同一である。なお、左右風向拡大板１２の形状は、上下風向板５を閉じた際に仕切り板がユニット内に収納できるよう、風路に沿った形状となっている。また、上下風向板５を閉じた際に十分な高さ（室内機１００の上下方向）スペースがなく、左右風向拡大板１２を十分に拡大できない場合は風路内に左右風向拡大板１２が収納できるように凹部を設け収納する。
【００２８】
調和空気が上下風向板５で偏向される際に板に衝突し左右方向（室内機１００の幅方向）に拡散しようとするが、左右風向拡大板１２が隣接する軸流ファン２同士の間に設置されているため、隣接する軸流ファン２の気流の影響を受けない。また、実施の形態１のように、隣り合う軸流ファン２の間の延長上にあたる位置の上下風向板５の面上に仕切り板６を設けてもよい。しかし、その場合は、左右風向板７が上下風向板５に設置されている際は仕切り板６があると左右風向板７の可動域を制限する場合がある。これにより、調和空気の偏向の障害となる可能性があるため、図８に示したように左右風向拡大板１２を設ける方が望ましい。
【００２９】
実施の形態１及び２においては、調和空気の気流の干渉を抑制するために仕切り板６を設けていた。しかし、上下風向板５に左右風向板７が設置されている場合は、仕切り板６が左右風向板７の可動域を制限するなど、調和空気の吹き出し時の偏向性を悪化させる可能性がある。そのため、上下風向板５に左右風向板７が設置されている場合は、隣接する軸流ファン２との間の延長上にある左右風向板７を、形状を拡大した左右風向拡大板１２にすると良い。これにより、実施の形態１及び２と同様に調和空気の気流の干渉を抑制することができる。これにより、実施の形態１及び２と同様な効果を得ることができる。
【００３０】
（効果）
実施の形態３においては、実施の形態１の空気調和機の室内機に対し以下の構成を更に備える。上下風向板５の面上に、吹出口８から吹き出される気流をケーシング４の幅方向に偏向させる複数の左右風向板７を更に備える。このような構成を備えることにより、調和空気が上下風向板５を通過する際の気流の干渉を抑制することができる。これにより、複数の軸流ファン２のそれぞれが異なる風量の調和空気を左右の異なる方向に吹き分けることができる。
【００３１】
実施の形態３の空気調和機の室内機は、上部に吸込口が形成され、前面部下側に吹出口が形成され、内部風路が形成されたケーシング４と、ケーシング４の内部において、吸込口１の下流側にケーシング４の幅方向に並設された複数の軸流ファン２と、吹出口８の上流側に設けられ、軸流ファン２によりケーシング４の内部に取り込まれた空気と冷媒とが熱交換される熱交換器３と、吹出口８から吹き出される気流の上下方向の向きを制御する上下風向板５と、を備える。内部風路１３は、隣接する複数の軸流ファン２の間を仕切ることにより分割して形成され、上下風向板５は、当該上下風向板５の面上に、吹出口８から吹き出される気流をケーシング４の幅方向に偏向させる複数の左右風向板７を更に備え、複数の左右風向板７のうち内部風路１３の分割位置にある左右風向板７は、高さが他の左右風向板７より高い。このような構成を備えることにより、上下風向板５が、内部風路１３に合わせて分割された場合においても、調和空気が上下風向板５を通過する際の気流の干渉を抑制することができる。これにより、左右風向板７の可動範囲もより大きく取ることができ、より広範囲に調和空気を送ることができ、複数の軸流ファン２のそれぞれが異なる風量の調和空気を左右の異なる方向に吹き分けることができる。
【００３２】
実施の形態４．
実施の形態３では１枚の上下風向板５の面上に左右風向板７があり、隣接する軸流ファン２の間の延長上となる位置に周りの左右風向板７よりも高い左右風向拡大板１２が設置されていた。実施の形態４においては、この上下風向板５が軸流ファン２の数と同数にユニット幅方向に分割されている場合について説明する。
【００３３】
図１０は、本発明の実施の形態４における左右風向板付き左右分割した上下風向板の斜視図である。実施の形態３と同様に隣り合う軸流ファン２の間の延長上の位置（上下風向板５Ｌ及び上下風向板５Ｒの室内機１００中央側の端）に左右風向拡大板１２をそれぞれ設置することにより実施の形態３と同様の効果を得ることができる。
【００３４】
実施の形態４において、上下風向板５以外の室内機１００のその他の構成については、実施の形態１の室内機１００と同様である。図１０のように隣り合う軸流ファン２の間の延長上にあたる上下風向板５Ｌの端にある左右風向板１２Ｌ及び上下風向板５Ｒの端にある左右風向板１２Ｒを周りの左右風向板７よりも高くする。これを左右風向拡大板１２と呼ぶ。このとき、左右風向板７の断面積が大きいほど広角吹き出し時の圧損が大きくなるため、他の左右風向板７も拡大すると同一回転数での風量が低下し必要な能力を確保できなくなる。また左右風向拡大板１２の長さ（室内機１００の奥行き方向の長さ）は上下風向板５の長さ（上下風向板５の前縁から後縁までの長さ）と同一である。なお、左右風向拡大板１２の形状は、上下風向板５を閉じた際に仕切り板がユニット内に収納できるよう、風路に沿った形状となっている。また、上下フラップを閉じた際に十分な高さ方向（室内機１００の上下方向）にスペースがなく、左右風向拡大板１２を十分に拡大できない場合は風路内に左右風向拡大板１２が収納できるように室内機１００内部に凹部を設け収納する。
【００３５】
実施の形態２のように、調和空気の気流の干渉を抑制するために仕切り板６を設けてもよいが、分割された上下風向板５に左右風向板７が設置されている場合は、仕切り板６が左右風向板７の可動域を制限するなど、調和空気の吹き出し時の偏向性を悪化させる可能性がある。そのため、分割された上下風向板５に左右風向板７が設置されている場合は、隣接する軸流ファン２との間にある左右風向板７を拡大した左右風向拡大板１２を設置することにより気流の干渉を抑制する方が良い。これにより、実施の形態１〜３と同様な効果が得られる。
【００３６】
（効果）
実施の形態４においては、実施の形態３の空気調和機の室内機に対し以下の構成を更に備える。内部風路１３の分割に合わせてケーシング４の幅方向に分割され、分割されたそれぞれの当該上下風向板５上に、複数の左右風向板７を備える。このような構成を備えることにより、上下風向板５が、内部風路１３に合わせて分割された場合においても、調和空気が上下風向板５を通過する際の気流の干渉を抑制することができる。これにより、複数の軸流ファン２のそれぞれが異なる風量の調和空気を上下左右の異なる方向に吹き分けることができる。
【符号の説明】
【００３７】
１  吸込口、２  軸流ファン、３  熱交換器、４  ケーシング、５  上下風向板、５Ｌ  上下風向板、５Ｒ  上下風向板、５a  上下風向板、５ｂ  上下風向板、５ｃ  上下風向板、６  仕切り板、６Ｌ  仕切り板、６Ｒ  仕切り板、７  左右風向板、８  吹出口、１０  混合防止板、１１  フィルター、１２  左右風向拡大板、１２Ｌ  左右風向板、１２Ｒ  左右風向板、１３  内部風路、１３Ｌ  内部風路、１３Ｒ  内部風路、１００  室内機。
【図１】
2016208009.tif 000003
【図２】
2016208009.tif 000004
【図３】
2016208009.tif 000005
【図４】
2016208009.tif 000006
【図５】
2016208009.tif 000007
【図６】
2016208009.tif 000008
【図７】
2016208009.tif 000009
【図８】
2016208009.tif 000010
【図９】
2016208009.tif 000011
【図１０】
2016208009.tif 000012
【手続補正書】
【提出日】平成29年9月14日(2017.9.14)
【手続補正１】
【補正対象書類名】明細書
【補正対象項目名】０００７
【補正方法】変更
【補正の内容】
【０００７】
本発明に係る空気調和機の室内機は、上部に吸込口が形成され、前面部下側に吹出口が形成され、内部風路が形成されたケーシングと、該ケーシングの内部において、前記吸込口の下流側に前記ケーシングの幅方向に並設された複数の軸流ファンと、前記吹出口の上流側に設けられ、前記軸流ファンにより前記ケーシングの内部に取り込まれた空気と冷媒とが熱交換される熱交換器と、前記吹出口から吹き出される気流の上下の向きを制御する上下風向板と、を備えた空気調和機において、前記内部風路は、隣接する複数の前記軸流ファンの間を仕切ることにより分割され、前記上下風向板は、当該上下風向板の面上に、前記吹出口から吹き出される気流を前記ケーシングの左右方向に吹出方向を変更させる複数の左右風向板を更に備え、複数の該左右風向板のうち前記内部風路の分割位置にある前記左右風向板は、高さが他の前記左右風向板より高い。
【手続補正２】
【補正対象書類名】明細書
【補正対象項目名】００１２
【補正方法】変更
【補正の内容】
【００１２】
ここで室内機１００内における空気の流れについて簡単に説明する。まず、室内空気は軸流ファン２によって吸込口１から室内機１００の内部に流れ込む。このときフィルター１１によって空気に含まれている塵埃が除去される。この室内空気は、熱交換器３を通過する際に熱交換器３内に流れている冷媒によって加熱又は冷却されて調和空気となる。その調和空気は、吹出口８に設置されている上下風向板５の上を通過する。上下風向板５は、水平方向に平行な回転中心を有し、室内機１００に回転自在に設置されている。上下風向板５は、モーターのついた駆動手段（図示無し）により上下方向の角度が調整され、調和空気の上下吹出し角度を変更する。また、調和空気は、上下風向板５上に設置されている左右風向板７を通過する。左右風向板７は、ユニット幅方向に複数枚設置されており、それぞれが連結棒（図示無し）により連結されている。なお、実施の形態１では室内機１００の前面側に設置された上下風向板５ｂに左右風向板７が設置されている。左右風向板７は、回転軸を有し左右方向に回転自在に設置されており、モーターのついた駆動手段（図示無し）により角度を調整し、調和空気の左右吹出し角度を変更する。その後、吹出口８から室内機１００の外部、つまり空調対象域に吹き出される。
【手続補正３】
【補正対象書類名】特許請求の範囲
【補正対象項目名】全文
【補正方法】変更
【補正の内容】
【特許請求の範囲】
【請求項１】
上部に吸込口が形成され、前面部下側に吹出口が形成され、内部風路が形成されたケーシングと、
該ケーシングの内部において、前記吸込口の下流側に前記ケーシングの幅方向に並設された複数の軸流ファンと、
前記吹出口の上流側に設けられ、前記軸流ファンにより前記ケーシングの内部に取り込まれた空気と冷媒とが熱交換される熱交換器と、
前記吹出口から吹き出される気流の上下の向きを制御する上下風向板と、を備えた空気調和機において、
前記内部風路は、
隣接する複数の前記軸流ファンの間を仕切ることにより分割され、
前記上下風向板は、
当該上下風向板の面上に、前記吹出口から吹き出される気流を前記ケーシングの左右方向に吹出方向を変更させる複数の左右風向板を更に備え、
複数の該左右風向板のうち前記内部風路の分割位置にある前記左右風向板は、
高さが他の前記左右風向板より高い、空気調和機の室内機。
【請求項２】
前記上下風向板は、
前記内部風路の分割に合わせて前記ケーシングの左右方向に分割され、分割されたそれぞれの当該上下風向板上に、複数の前記左右風向板を備える、請求項１に記載の空気調和機の室内機。
【国際調査報告】
2016208009.tif 000013
2016208009.tif 000014
2016208009.tif 000015
2016208009.tif 000016